(57)【要約】      （修正有）【課題】外光の変動が表示色の特性に与える影響を低減できる表示装置を提供する。【解決手段】表示装置１０は、表示面に画像を投射して表示する表示部２０と、前記表示面２０を撮像する撮像部６０と、前記表示面に入射する外光の強度を計測する外光計測部８３と、色計測用の画像を含む色計測画像を前記表示部２０に表示させ、前記表示面に表示される前記色計測画像を前記撮像部６０に撮像させ、前記撮像部６０の前記色計測画像に関する撮像画像に基づいて、前記表示部２０の表示色に関する特性を計測する色計測部８２と、前記外光計測部８３の計測強度の変動量に基づいて、前記色計測部８２の計測を制御する計測制御部８１と、を有する。【選択図】図２
2020042164.tif 000002
【特許請求の範囲】
【請求項１】
表示面に画像を投射して表示する表示部と、
前記表示面を撮像する撮像部と、
前記表示面に入射する外光の強度をｎ回（ｎは２以上の自然数である）以上計測する外光計測部と、
色計測用の画像を含む色計測画像を前記表示部に表示させ、前記表示面に表示される前記色計測画像を前記撮像部に撮像させ、前記撮像部の前記色計測画像に関する撮像画像に基づいて、前記表示部の表示色に関する特性を計測する色計測部と、
前記外光計測部のｎ−１回目の計測強度とｎ回目以降の計測強度との差分の絶対値に基づいて、前記外光計測部の計測強度の変動量が所定値以上であるか否かを判断し、前記外光計測部の計測強度の変動量が前記所定値以上である場合、前記色計測部の計測を中断または中止させる計測制御部と、を有する、
表示装置。
【請求項２】
前記外光計測部は、前記色計測部の計測処理中に時間間隔をもって複数回計測する、
請求項１に記載の表示装置。
【請求項３】
前記計測制御部は、前記外光計測部のｎ−１回目の計測強度とｎ回目の計測強度との差分の絶対値に基づいて、前記外光計測部の計測強度の変動量が前記所定値以上であるか否かを判断する、
請求項１または２に記載の表示装置。
【請求項４】
前記色計測部は、複数種の前記色計測画像を切り替えて前記表示部に順次表示させ、前記色計測画像ごとに前記撮像部に前記色計測画像を撮像させ、
前記外光計測部は、前記色計測部が前記色計測画像を切り替える度に、前記外光の強度を計測する、
請求項１ないし３のいずれか１項に記載の表示装置。
【請求項５】
前記外光計測部は、外光計測用の画像を含む外光計測画像を前記表示部に表示させ、前記表示面に表示される前記外光計測画像を前記撮像部に撮像させ、前記撮像部の前記外光計測画像に関する撮像画像に基づいて、前記外光の強度を計測する、
請求項１ないし４のいずれか１項に記載の表示装置。
【請求項６】
前記色計測部の計測結果に基づいて、前記表示部の表示色に関する特性の調整に用いる色調整情報を生成する色調整部を有する、
請求項１ないし５のいずれか１項に記載の表示装置。
【請求項７】
表示面に画像を投射して表示を行う表示装置の制御方法であって、
前記表示面に入射する外光の強度を計測する外光計測をｎ回（ｎは２以上の自然数である）以上行い、
前記表示面に色計測用の画像を含む色計測画像の表示を行い、
前記表示面に表示される前記色計測画像の撮像を行い、
前記色計測画像に関する撮像画像に基づいて、表示色に関する特性を計測する色計測を行い、
前記外光計測のｎ−１回目の計測強度とｎ回目以降の計測強度との差分の絶対値に基づいて、前記外光計測の計測強度の変動量が所定値以上であるか否かを判断し、前記外光計測の計測強度の変動量が前記所定値以上である場合、前記色計測を中断または中止させる、
表示装置の制御方法。
【請求項８】
表示面に画像を投射して表示する表示部と、
前記表示面を撮像する撮像部と、
前記表示面に入射する外光の強度をｎ回（ｎは２以上の自然数である）以上計測する外光計測部と、
色計測用の画像を含む色計測画像を前記表示部に表示させ、前記表示面に表示される前記色計測画像を前記撮像部に撮像させ、前記撮像部の前記色計測画像に関する撮像画像に基づいて、前記表示部の表示色に関する特性を計測する色計測部と、
前記外光計測部のｎ−１回目の計測強度とｎ回目以降の計測強度との差分の絶対値に基づいて、前記外光計測部の計測強度の変動量が所定値以上であるか否かを判断し、前記外光計測部の計測強度の変動量が前記所定値以上である場合、前記色計測部の計測を中断または中止させる計測制御部と、を有する、
表示システム。
【発明の詳細な説明】
【技術分野】
【０００１】
本発明は、表示装置、表示装置の制御方法および表示システムに関する。
【背景技術】
【０００２】
特許文献１および２に開示されるように、スクリーン等の表示面に画像を投射により表示する表示装置が知られている。
【０００３】
特許文献１に記載の装置は、スクリーンの明るさを検出する検出部と、スクリーンの明るさに基づいて投射光量を自動で調整する自動光量調整部とを備える。特許文献２に記載の装置は、画像処理部と、投射部と、センサーと、補正強度算出部とを含む。ここで、補正強度算出部は、センサーによって測定された外光の輝度に基づいて、画像処理部による入力画像信号の補正強度を算出して画像処理部に出力する。画像処理部は、当該補正強度を用いて入力画像信号を補正して投射部に出力する。
【先行技術文献】
【特許文献】
【０００４】
【特許文献１】特開２００４−２７９５８０号公報
【特許文献２】特開２０１０−１５２２６５号公報
【発明の概要】
【発明が解決しようとする課題】
【０００５】
しかし、特許文献１および２に記載の装置では、前述の調整または補正の処理中に外光の強度が変動しても、当該処理をそのまま続行する。このため、これらの装置は、当該処理の結果がその変動の影響を受けてしまうという課題がある。
【課題を解決するための手段】
【０００６】
以上の課題を解決するため、本発明に係る表示装置の一態様は、表示面に画像を投射して表示する表示部と、前記表示面を撮像する撮像部と、前記表示面に入射する外光の強度をｎ回（ｎは２以上の自然数である）以上計測する外光計測部と、色計測用の画像を含む色計測画像を前記表示部に表示させ、前記表示面に表示される前記色計測画像を前記撮像部に撮像させ、前記撮像部の前記色計測画像に関する撮像画像に基づいて、前記表示部の表示色に関する特性を計測する色計測部と、前記外光計測部のｎ−１回目の計測強度とｎ回目以降の計測強度との差分の絶対値に基づいて、前記外光計測部の計測強度の変動量が所定値以上であるか否かを判断し、前記外光計測部の計測強度の変動量が前記所定値以上である場合、前記色計測部の計測を中断または中止させる計測制御部と、を有する。
【図面の簡単な説明】
【０００７】
【図１】第１実施形態に係る表示装置を示す斜視図である。
【図２】第１実施形態に係る表示装置の構成を示すブロック図である。
【図３】第１実施形態における表示装置の計測処理の動作タイミングを示す図である。
【図４】色計測画像の例を示す図である。
【図５】第１実施形態に係る表示装置の計測処理を示すフローチャートである。
【図６】外光計測部の計測処理を示すフローチャートである。
【図７】第２実施形態に係る表示装置の計測処理を示すフローチャートである。
【図８】第３実施形態における表示装置の計測処理の動作タイミングを示す図である。
【図９】第３実施形態に係る表示装置の計測処理を示すフローチャートである。
【図１０】変形例に係る表示システムの構成を示す図である。
【発明を実施するための形態】
【０００８】
以下、添付図面を参照しながら本発明に係る好適な実施形態を説明する。なお、図面において各部の寸法および縮尺は実際と適宜異なり、理解を容易にするために模式的に示す部分もある。また、本発明の範囲は、以下の説明において特に本発明を限定する旨の記載がない限り、これらの形態に限られない。
【０００９】
０．表示装置の概要
図１は、第１実施形態に係る表示装置１０を示す斜視図である。表示装置１０は、表示部２０と撮像部６０を備え、表示面の一例であるスクリーンＳＣに画像光を投射して投射画像Ｇを表示するプロジェクターである。
【００１０】
図１に示す例では、スクリーンＳＣの設置箇所は、例えば、壁である。なお、当該設置箇所は、壁に限定されず、例えば、床またはテーブル等であってもよい。また、表示装置１０の設置箇所は、例えば、天井であるが、当該設置箇所は、表示装置１０がスクリーンＳＣに投射画像Ｇを投射可能であればよく、天井に限定されず、例えば、スクリーンＳＣの前方の、壁、床、テーブル、専用設置台等であってもよい。
【００１１】
表示装置１０は、光の三原色である赤色、緑色および青色からなる３色の画像光を用いてフルカラーの投射画像ＧをスクリーンＳＣに表示可能である。ここで、表示装置１０は、当該３色の輝度のバランスに基づく表示色に関する特性を計測する機能と、スクリーンＳＣに入射する外光の強度を計測する機能と、を有する。表示装置１０は、画像光以外の当該表示色に関する特性の計測結果に基づいて前述の３色の輝度のバランスを調整可能である。このため、外光等の設置環境が変換しても、また、スクリーンＳＣの色等が変更されても、投射画像Ｇの色再現性を高めることができる。また、表示装置１０は、当該外光の計測強度の変動量に基づいて前述の表示色に関する特性の計測を制御可能である。このため、スクリーンＳＣに入射する外光が変動しても、その変動が当該特性の計測に与える影響を低減できる。
【００１２】
１．第１実施形態
図２は、第１実施形態に係る表示装置の構成を示すブロック図である。表示装置１０は、図２に示すように、表示部２０、記憶部３０、画像処理部４０、Ｉ／Ｆ（Interface）部５０、撮像部６０、操作部７０および制御部８０を有する。これらは、相互に通信可能に接続される。
【００１３】
表示部２０は、表示面であるスクリーンＳＣに画像光を投射して投射画像Ｇを表示する。表示部２０は、光源２１、光変調装置２２、および投射光学系２３を有する。
【００１４】
光源２１は、例えば、ハロゲンランプ、キセノンランプ、超高圧水銀ランプ、ＬＥＤ（Light Emitting Diode）またはレーザー光源等で構成される。光源２１は、例えば、赤色、緑色および青色の光をそれぞれ出射する３つの光源、または、白色の光を出射する光源を含んで構成される。光源２１が白色の光を出射する場合、光源２１から出射される光は、図示しないインテグレーター光学系によって輝度分布のばらつきが低減され、その後、図示しない色分離光学系によって赤色、緑色および青色の光に分離されて光変調装置２２に入射する。光変調装置２２は、当該赤色、緑色および青色に対応して設けられる光変調素子２２Ｒ、２２Ｇおよび２２Ｂを含んで構成される。光変調素子２２Ｒ、２２Ｇおよび２２Ｂは、それぞれ、例えば、透過型の液晶パネル、反射型の液晶パネルまたはＤＭＤ（デジタルミラーデバイス）等を含んで構成される。光変調素子２２Ｒ、２２Ｇおよび２２Ｂは、当該赤色、緑色および青色の光をそれぞれ変調して各色の画像光を生成する。光変調装置２２で生成される各色の画像光は、図示しない色合成光学系によって合成され、フルカラーの画像光となる。投射光学系２３は、当該フルカラーの画像光をスクリーンＳＣ上に結像させて投射させる。投射光学系２３は、少なくとも１つの投射レンズを含む光学系であり、ズームレンズまたはフォーカスレンズ等を含んでもよい。
【００１５】
記憶部３０は、例えば、ハードディスクドライブまたは半導体メモリーで構成される。記憶部３０は、制御部８０が実行する制御プログラムＰ、および制御部８０が処理する色調整情報Ｄを含むデータを記憶する。制御プログラムＰおよび色調整情報Ｄについては、後に詳述する。なお、記憶部３０は、表示装置１０の外部の記憶装置あるいはサーバー等に設けてもよい。
【００１６】
画像処理部４０は、フレームメモリー４１を有し、Ｉ／Ｆ部５０からの画像情報をフレームメモリー４１に展開して、解像度変換処理、リサイズ処理、歪み補正処理等の各種処理を適宜実行して表示部２０に入力する。ここで、画像処理部４０は、必要に応じて、制御部８０からの指示に基づく処理、例えば、ＧＵＩ（Graphical User Interface）等を表示部２０に表示させるための処理等を実行する。
【００１７】
Ｉ／Ｆ部５０は、図示しないパーソナルコンピューター等の外部装置に接続可能なインターフェイスとして、入力部５１および通信部５２を備える。なお、Ｉ／Ｆ部５０は、表示装置１０本体と同一筐体に配置されてもよいし、表示装置１０本体の筐体とは別の筐体内に配置されてもよい。
【００１８】
入力部５１は、図示しない外部装置から画像情報を入力可能である。具体的には、入力部５１は、例えば、Ｄ−ｓｕｂまたはＨＤＭＩインターフェイス等である。なお、入力部５１の数は、複数でもよく、この場合、規格は、同一であっても異なっていてもよい。入力部５１は、例えば、Ｗｉ−ＦｉまたはＢｌｕｅｔｏｏｔｈ等により外部装置に無線接続されてもよいし、ＬＡＮ（Local Area Network）またはインターネット等を介して外部装置に接続されてもよい。なお、ＨＤＭＩ、Ｗｉ−ＦｉおよびＢｌｕｅｔｏｏｔｈは、それぞれ、登録商標である。
【００１９】
通信部５２は、図示しない外部装置に通信可能に接続可能である。具体的には、通信部５２は、例えば、ＵＳＢ等のインターフェイスである。なお、通信部５２の数は、複数でもよく、この場合、規格は、互いに同一であっても異なっていてもよい。
【００２０】
撮像部６０は、スクリーンＳＣを撮像する。撮像部６０は、撮像光学系６１と、撮像素子６２と、を有する。撮像光学系６１は、少なくとも１つの撮像レンズを含む光学系であり、プリズム等の各種の光学素子を備えてもよいし、ズームレンズやフォーカスレンズ等を備えてもよい。撮像光学系６１は、スクリーンＳＣの全体を含む広い範囲を撮像素子６２で撮像することが容易であるという観点から、広角レンズまたは魚眼レンズを含んで構成されることが好ましい。撮像素子６２は、撮像光学系６１を介してスクリーンＳＣを撮像する。撮像素子６２は、例えば、ＣＣＤ（Charge Coupled Device）イメージセンサーまたはＣＭＯＳ（Complementary MOS）イメージセンサー等の撮像素子を含んで構成される。
【００２１】
操作部７０は、操作パネル７１およびリモコン受光部７２を有する。操作パネル７１は、表示装置１０の外装筐体に設けられ、ユーザーの操作を受け付け可能に構成される。操作パネル７１は、ユーザーの操作に基づく信号を出力する。リモコン受光部７２は、図示しないリモコンからの赤外線信号を受光し、当該赤外線信号をデコードして、当該リモコンの操作に基づく信号を出力する。
【００２２】
制御部８０は、表示装置１０の各部を制御する機能、および各種データを処理する機能を有する。制御部８０は、例えば、ＣＰＵ（Central Processing Unit）等を含んで構成される。制御部８０は、記憶部３０に記憶されている制御プログラムＰを実行することによって、後述する機能部を含む各種機能を実現する。なお、制御部８０は、単一のプロセッサーで構成されてもよいし、複数のプロセッサーで構成されてもよい。また、制御部８０の機能の一部または全部を、ＤＳＰ（Digital Signal Processor）、ＡＳＩＣ（Application Specific Integrated Circuit）、ＰＬＤ（Programmable Logic Device）、ＦＰＧＡ（Field Programmable Gate Array）等のハードウェアで実現してもよい。
【００２３】
制御部８０は、機能部として、計測制御部８１、色計測部８２、外光計測部８３および色調整部８４を有する。計測制御部８１は、前述の表示部２０、記憶部３０、画像処理部４０、Ｉ／Ｆ部５０、撮像部６０および操作部７０を制御する。特に、計測制御部８１は、外光計測部８３の計測強度の変動量に基づいて、色計測部８２の計測を制御する。
【００２４】
色計測部８２は、表示部２０の表示色に関する特性を計測する。具体的には、色計測部８２は、色計測用の画像を含む色計測画像ＣＬを表示部２０に表示させ、スクリーンＳＣに表示される当該色計測画像ＣＬを撮像部６０に撮像させる。そして、色計測部８２は、撮像部６０の当該色計測画像に関する撮像画像に基づいて、表示部２０の表示色に関する特性を計測する。当該特性は、例えば、表示部２０で生成される前述の赤色、緑色および青色の画像光の輝度のバランスに関する特性である。なお、色計測部８２の詳細については、色調整部８４の説明とともに後述する。また、以下では、「表示部２０の表示色に関する特性」を「表示色特性」ともいう。
【００２５】
外光計測部８３は、画像光以外の光であり、スクリーンＳＣに入射する外光の強度を計測する。具体的には、外光計測部８３は、外光計測用の画像を含む外光計測画像ＢＫを表示部２０に表示させ、スクリーンＳＣに表示される当該外光計測画像ＢＫを撮像部６０に撮像させる。そして、外光計測部８３は、撮像部６０の当該外光計測画像ＢＫに関する撮像画像に基づいて、当該外光の強度を計測する。なお、以下では、「スクリーンＳＣに入射する外光」を単に「外光」ともいう。
【００２６】
色調整部８４は、色計測部８２の計測結果に基づいて、表示部２０の表示色に関する特性の調整に用いる色調整情報Ｄを生成する。色調整情報Ｄは、例えば、赤色、緑色および青色の画像光の輝度のそれぞれについて、色計測部８２の計測で得られる値と、予め設定される値との差分値に関する情報である。
【００２７】
図３は、第１実施形態における外光計測部８３および色計測部８２の動作タイミングを模式的に示す図であり、横軸が時間軸である。色計測部８２は、複数種の色計測画像ＣＬを用いて、表示色特性を計測する。当該複数種の色計測画像ＣＬは、例えば、図４に示す２１個の画像である。色計測画像ＣＬは、全面にわたって輝度を均一として投射される画像であって、赤色、緑色および青色の３色のそれぞれについて輝度が７段階で異なる合計２１個のベタ画像である。図３に示すように、色計測部８２は、当該複数種の色計測画像ＣＬを切り替えて表示部２０に順次表示させ、スクリーンＳＣに投射された色計測画像ＣＬごとに撮像部６０に色計測画像ＣＬを撮像させる。図３では、１種目の色計測画像ＣＬである赤色の色計測画像Ｒ１、２種目の色計測画像ＣＬである緑色の色計測画像Ｇ１、３種目の色計測画像ＣＬである青色の色計測画像Ｂ１がこの順で表示される場合が代表的に図示される。なお、複数種の色計測画像ＣＬの表示の順序は、図３に示す例に限定されない。
【００２８】
ここで、色計測部８２は、色計測画像ＣＬがスクリーンＳＣに表示される期間ｔ２１内に色計測画像ＣＬを撮像部６０に撮像させる。したがって、色計測画像ＣＬが表示される期間ｔ２１は、色計測画像ＣＬが撮像される期間ｔ２２よりも長い。このため、画像切り替え時等の不安定な表示状態の色計測画像ＣＬが撮像されることによる色計測部８２の計測精度の低下が防止される。
【００２９】
外光計測部８３は、外光計測用の画像を含む外光計測画像ＢＫを用いて、外光を計測する。外光計測画像ＢＫは、例えば、全面が黒色の画像である。換言すれば、表示部２０が外光計測画像ＢＫを表示する場合、表示部２０は、画像光をスクリーンＳＣに投射しない。したがって、スクリーンＳＣには、外光による画像が表示される。よって、表示部２０が画像光をスクリーンＳＣに投射する場合と比較して、外光の計測精度を向上させることができる。図３に示すように、外光計測部８３は、色計測部８２の計測処理中に時間間隔をもって複数回計測する。本実施形態では、外光計測部８３は、前述のように色計測部８２が色計測画像ＣＬを切り替える度に、外光計測画像ＢＫの表示および撮像を実行し、外光の強度を計測する。図３では、１回目からｎ回目（ｎは２以上の自然数）までの外光計測と、１回目からｎ−１回目までの色計測が示されている。本実施形態では、ｎ＝２２であり、２１個の色計測画像ＣＬにより色計測処理を実行され、２２回の外光計測が実行され色計測処理が完了する。
【００３０】
ここで、外光計測部８３は、外光計測画像ＢＫが表示される期間ｔ１１内に外光計測画像ＢＫを撮像部６０に撮像させる。したがって、外光計測画像ＢＫが表示される期間ｔ１１は、外光計測画像ＢＫが撮像される期間ｔ１２よりも長い。このため、不安定な表示状態の外光計測画像ＢＫが撮像されることによる外光計測部８３の計測精度の低下が防止される。なお、期間ｔ１１の長さは、期間ｔ２１の長さと等しくても異なってもよい。また、外光計測画像ＢＫが表示される周期Ｔ１は、色計測画像ＣＬが表示される周期Ｔ２と等しくても異なってもよい。
【００３１】
図５は、第１実施形態に係る表示装置１０の計測処理の流れを示すフローチャートである。計測制御部８１は、計測の指示を受けると、まず、ステップＳ１０において、外光計測、すなわち外光計測部８３の計測を実行させる。このステップＳ１０により、外光計測部８３の計測強度に関する外光情報が得られる。当該外光情報は、記憶部３０に記憶される。なお、ステップＳ１０の処理の詳細は、後述する。
【００３２】
次に、ステップＳ１１において、計測制御部８１は、色計測画像ＣＬを表示部２０に表示させる。ここで、ステップＳ１１が計測処理の１回目に実行される場合、当該色計測画像ＣＬは、前述の複数種の色計測画像ＣＬのうちの１種目の色計測画像ＣＬである。
【００３３】
そして、計測制御部８１は、色計測画像ＣＬを表示部２０に表示させる状態を維持して、ステップＳ１２において、スクリーンＳＣに表示される当該色計測画像ＣＬを撮像部６０に撮像させる。このステップＳ１２により、撮像部６０の当該色計測画像ＣＬに関する撮像画像を示す色情報が得られる。当該色情報は、記憶部３０に記憶される。
【００３４】
その後、ステップＳ１３において、計測制御部８１は、前述のステップＳ１０と同様に、外光計測部８３の計測を実行させる。そして、ステップＳ１４において、計測制御部８１は、外光の変動量が所定値以上であるか否かを判断する。
【００３５】
具体的には、計測制御部８１は、記憶部３０に記憶される外光情報に基づいて、外光の変動量が所定値以上であるか否かを判断する。例えば、第１の判断として、計測制御部８１は、ステップＳ１０での外光計測の結果である１回目の計測強度と、ステップＳ１３での外光計測の結果であるｎ回目の計測強度との差分の絶対値が第１所定値以上である場合、外光の変動量が所定値以上であると判断する。また、第２の判断として、計測制御部８１は、ステップＳ１３でのｎ−１回目の計測強度とｎ回目の計測強度との差分の絶対値が第２所定値以上である場合、外光の変動量が所定値以上であると判断する。なお、前述の第１および第２の判断のうちのいずれか一方の判断を省略してもよい。また、ステップＳ１４における判断は、前述の第１および第２の判断に限定されず、外光の変動量が所定値以上であるか否かを判断できればよい。
【００３６】
第１所定値および第２所定値は、互いに同じであっても異なっていてもよいが、第２所定値は、第１所定値よりも小さいことが好ましい。この場合、第２所定値が第１所定値以上である場合に比べて、外光の変動が色計測部８２の計測結果に与える影響を好適に低減できる。なお、第１所定値および第２所定値は、それぞれ、固定値でもよいし、ユーザーからの指示等により可変であってもよい。
【００３７】
外光の変動量が所定値以上でないと判断される場合、ステップＳ１５において、計測制御部８１は、前述の複数種の色計測画像ＣＬの全てを撮像済みであるか否かを判断する。撮像済みでない場合、計測制御部８１は、ステップＳ１６において次の色計測画像ＣＬに切り替えて、前述のステップＳ１１に移行する。したがって、前述の複数種の色計測画像ＣＬの全てを撮像するまで、前述の処理が繰り返されることとなる。一方、撮像済みである場合、計測制御部８１は、ステップＳ１７において、撮像済みの全ての色計測画像ＣＬについての色情報を用いて、表示部２０の表示色に関する特性を算出し、色計測部８２の計測処理を終了する。
【００３８】
一方、外光の変動量が所定値以上であると判断される場合、ステップＳ１８において、計測制御部８１は、外光の変動により色計測がエラーである旨を表示部２０に表示させる。当該表示により、ユーザーに対して当該旨を報知することができる。本実施形態では、当該報知の内容に色計測を終了する旨を含める。これにより、ユーザーは、当該報知後に、必要な措置をとり、その上で、色計測を再度指示することとなる。必要な措置は、例えば、外光の変動量が所定値以上でないと判断して行われたエラー前までの色計測結果を保存することや、外光の変動の要因を取り除くこと等である。エラー前までの色計測結果を利用することにより、再度の色計測は、残りの色計測を行うだけでよい。また、エラー前までの色計測結果だけでも、手動による表示色特性の算出や色調整情報Ｄの生成ができる。また、外光の変動の要因を取り除くことにより、再度の色計測におけるエラー発生を抑制できる。なお、当該報知は、表示部２０による表示に限定されず、例えば、音声等により行ってもよい。
【００３９】
図６は、前述のステップＳ１０およびＳ１３における計測動作の流れを示すフローチャートである。外光計測部８３は、計測の指示を受けると、まず、ステップＳ２１において、外光計測画像ＢＫを表示部２０に表示させる。
【００４０】
そして、外光計測部８３は、外光計測画像ＢＫを表示部２０に表示させる状態を維持して、ステップＳ２２において、スクリーンＳＣに表示される当該外光計測画像ＢＫを撮像部６０に撮像させる。
【００４１】
その後、ステップＳ２３において、外光計測部８３は、撮像部６０の当該外光計測画像ＢＫに関する撮像画像に基づいて、スクリーンＳＣに入射する外光の強度を算出する。
【００４２】
以上の表示装置１０またはその制御方法は、前述のように、計測制御部８１が、外光計測部８３の計測強度の変動量に基づいて、色計測部８２の計測を制御する。このため、スクリーンＳＣに入射する外光の強度が変動しても、その変動の影響を受けないように色計測部８２の計測を実行できる。
【００４３】
また、表示装置１０は、色計測部８２の計測結果に基づいて、表示部２０の表示色に関する特性の調整に用いる色調整情報Ｄを生成する色調整部８４を有する。このため、色調整情報Ｄを用いて表示部２０の表示を実行させることにより、表示部２０の表示に関する特性を所望の特性に調整することができる。
【００４４】
本実施形態では、計測制御部８１は、外光計測部８３の計測強度の変動量が所定値以上である場合、色計測部８２の計測を中断または中止させる。このため、変動する外光の影響が色計測部８２の計測結果に反映されてしまうことを低減できる。
【００４５】
また、外光計測部８３は、色計測部８２の計測処理中に時間間隔をもって複数回計測する。ここで、色計測部８２は、前述のように、複数種の色計測画像ＣＬを切り替えて表示部２０に順次表示させ、色計測画像ＣＬごとに撮像部６０に色計測画像ＣＬを撮像させる。そして、外光計測部８３は、色計測部８２が色計測画像ＣＬを切り替える度に、外光の強度を計測する。このため、色計測部８２が表示部２０に色計測画像ＣＬを表示させる期間ｔ２１とは異なる期間ｔ１１で、外光計測部８３の計測を実行できる。この結果、色計測部８２の計測期間中に連続的に外光を計測する場合に比べて、外光の計測精度を高めることができる。
【００４６】
ここで、計測制御部８１は、外光計測部８３の１回目の計測強度と２回目以降の計測強度との差分の絶対値に基づいて、外光計測部８３の計測強度の変動量が所定値以上であるか否かを判断する。このため、色計測部８２の計測開始時からの外光の変動量が所定値以上である場合、外光計測部８３の計測強度の変動量が所定値以上であると判断できる。
【００４７】
また、計測制御部８１は、外光計測部８３のｎ−１回目（ただし、ｎは２以上の整数である）の計測強度とｎ回目の計測強度との差分の絶対値に基づいて、外光計測部８３の計測強度の変動量が所定値以上であるか否かを判断する。このため、色計測部８２の計測期間内の複数の期間ごとにおける外光の変動量が所定値以上である場合、外光計測部８３の計測強度の変動量が所定値以上であると判断できる。
【００４８】
外光計測部８３は、外光計測用の画像を含む外光計測画像ＢＫを表示部２０に表示させ、スクリーンＳＣに表示される当該外光計測画像ＢＫを撮像部６０に撮像させ、撮像部６０の当該外光計測画像ＢＫに関する撮像画像に基づいて、外光の強度を計測する。このため、外光を計測するための光学センサー等の他のセンサーを設置する必要がない。この結果、当該センサーを設置する場合に比べて、表示装置１０の構成を簡単化することができる。
【００４９】
２．第２実施形態
次に、第２実施形態について説明する。本実施形態は、外光の変動量が所定値以上である場合の処理が異なること以外は、前述の第１実施形態と同様である。なお、以下の説明では、第２実施形態に関し、前述の第１実施形態との相違点を中心に説明し、同様の事項についてはその説明を省略する。
【００５０】
図７は、第２実施形態に係る表示装置１０の計測処理の流れを示すフローチャートである。本実施形態では、ステップＳ１４において外光の変動量が所定値以上でないと判断される場合の処理が前述の第１実施形態と異なる。本実施形態では、ステップＳ１４において外光の変動量が所定値以上であると判断される場合、ステップＳ１１に移行する。このため、外光の変動量が所定値以上でないと判断されるまで、ステップＳ１１からＳ１４が繰り返される。以上の本実施形態によれば、前述の第１実施形態と同様の効果に加えて、ユーザーが色計測を再度指示することなく、外光の変動が表示色特性の計測に与える影響を低減できるという利点がある。
【００５１】
３．第３実施形態
次に、第３実施形態について説明する。本実施形態は、外光の計測タイミングが異なること以外は、前述の第１実施形態と同様である。なお、以下の説明では、第２実施形態に関し、前述の第１実施形態との相違点を中心に説明し、同様の事項についてはその説明を省略する。
【００５２】
図８は、第３実施形態における外光計測部８３および色計測部８２の動作タイミングを示す図である。本実施形態では、外光計測部８３は、予め設定される時間ごとに外光の強度を計測する。図８では、外光計測画像ＢＫが表示される周期Ｔ１内に、２種の色計測画像ＣＬの表示が表示される場合が代表的に図示される。ここで、外光計測画像ＢＫが表示される周期Ｔ１は、前述の第１実施形態における周期Ｔ１よりも長い。
【００５３】
図９は、第３実施形態に係る表示装置１０の計測処理の流れを示すフローチャートである。本実施形態では、ステップＳ１２とステップＳ１３との間に、ステップＳ２０が実行される点が前述の第１実施形態と異なる。ステップＳ２０おいて、計測制御部８１は、前回の外光の測定からの経過時間が所定時間以上であるか否かを判断する。当該所定時間は、前述の第１実施形態における周期Ｔ２よりも長い時間である。ただし、外光の変動が表示色特性の測定結果に与える影響をできるだけ小さくする観点から、当該所定期間は、周期Ｔ２の３倍以下であることが好ましい。
【００５４】
当該経過時間が所定時間以上であると判断される場合、ステップＳ１３において、計測制御部８１は、外光計測部８３の計測を実行させる。一方、当該経過時間が所定時間以上でないと判断される場合、ステップＳ１５に移行する。以上の本実施形態では、第１実施形態に比べて、外光の計測に要する時間が短くなり、これに伴って、表示色特性の計測に要する時間も短くなるという利点がある。
【００５５】
４．変形例
以上、本発明の表示装置について図示の実施形態に基づいて説明したが、図１０のように、表示部２０を含むプロジェクター１００と、計測制御部８１、色計測部８２および外光計測８３部を含む色計測装置８００と、撮像部６０を含む外部カメラ６００とで表示システム１を構成してもよい。また、プロジェクター１００を複数台として、マルチプロジェクションシステムとしてもよい。また、本発明の各部の構成は、前述の実施形態の同様の機能を発揮する構成に置換することができ、また、他の構成を付加することもできる。また、本発明は、前述の各実施形態の構成同士を組み合わせるようにしてもよい。
【００５６】
例えば、色計測部８２は、撮像部６０の色計測画像ＣＬに関する撮像画像だけでなく、外光計測部８３の計測結果も用いて、表示色特性を計測してもよい。この場合、当該特性の計測に外光の影響を加味して、計測精度を向上できるという利点がある。
【００５７】
また、前述の実施形態では、外光の計測を表示部２０および撮像部６０を用いて行うが、これに限定されず、例えば、表示部２０および撮像部６０とは別途設けられセンサーを用いて外光の計測を行ってもよい。
【符号の説明】
【００５８】
１０…表示装置、２０…表示部、６０…撮像部、８１…計測制御部、８２…色計測部、８３…外光計測部、８４…色調整部、ＣＬ…色計測画像、Ｒ１…色計測画像、Ｇ１…色計測画像、Ｂ１…色計測画像、ＢＫ…外光計測画像、Ｄ…色調整情報、Ｇ…投射画像、ＳＣ…スクリーン。
【図１】
2020042164.tif 000003
【図２】
2020042164.tif 000004
【図３】
2020042164.tif 000005
【図４】
2020042164.tif 000006
【図５】
2020042164.tif 000007
【図６】
2020042164.tif 000008
【図７】
2020042164.tif 000009
【図８】
2020042164.tif 000010
【図９】
2020042164.tif 000011
【図１０】
2020042164.tif 000012